(57)【特許請求の範囲】
【請求項１】
着信に応答して自動的に通信状態に移行し、発呼側装置から送出された用件メッセージ又は画像データを所定の媒体に記録する留守番機能を備えた通信装置において、
少なくとも２種類の異なる報知方法を有する報知手段と、
上記媒体への情報の記録が可能であるか検出する検出手段と、
該検出手段によって上記媒体への情報の記録が不可能であると検出されたとき、上記報知手段を制御して上記媒体への情報の記録が可能である時とは異なる方法により着信の報知を行う制御手段とを設けたことを特徴とする通信装置。
【請求項２】
上記制御手段は、前記検出手段によって上記媒体への情報の記録が不可能であると検出されたとき、着信時における通信状態への自動移行を禁止することを特徴とする請求項１に記載の通信装置。
【請求項３】
待受中に基地局より着呼メッセージが伝えられた際に、当該基地局との所定の信号の送受信によって着信動作及び応答動作を行うことによって通信状態に移行し、発呼側装置から送出された用件メッセージ又は画像データを所定の媒体に記録する留守番機能を備えた通信装置において、
少なくとも２種類の異なる報知方法を有する報知手段と、
上記媒体への情報の記録が可能であるか検出する検出手段と、
該検出手段によって上記媒体への情報の記録が不可能であると検出されたとき、上記報知手段を制御して上記媒体への情報の記録が可能である時とは異なる方法により着信の報知を行う制御手段とを設けたことを特徴とする通信装置。
【請求項４】
上記制御手段は、該検出手段によって上記媒体への情報の記録が不可能であると検出されたとき、着呼メッセージに対する基地局との応答動作を禁止することを特徴とする請求項３に記載の通信装置。
【請求項５】
待受中に基地局より着呼メッセージが伝えられた際に、当該基地局との所定の信号の送受信によって着信動作及び応答動作を行うことによって通信状態に移行し、発呼側装置から送出された用件メッセージ又は画像データを所定の媒体に記録する留守番機能を備えた通信装置において、
少なくとも２種類の異なる報知方法を有する報知手段と、
上記媒体への情報の記録が可能であるか検出する検出手段と、
該検出手段によって上記媒体への情報の記録が不可能であると検出されたとき、着呼メッセージに対する基地局との着信動作を禁止すると共に、上記報知手段を制御して上記媒体への情報の記録が可能である時とは異なる方法により着信の報知を行う制御手段とを設けたことを特徴とする通信装置。
【請求項６】
着信に応答して自動的に通信状態に移行し、発呼側装置から送出された用件メッセージ又は画像データを所定の媒体に記録する留守番機能を備えた通信装置において、
少なくとも２種類の異なる報知方法を有する報知手段と、
着信があったことを表す表示を行う表示手段と、
上記媒体への情報の記録が可能であるか検出する検出手段と、
該検出手段によって上記媒体への情報の記録が不可能であると検出されたとき、上記表示手段を制御して着信があったことを表す表示を行うと共に、上記報知手段を制御して上記媒体への情報の記録が可能である時とは異なる方法により着信の報知を行う制御手段とを設けたことを特徴とする通信装置。
【請求項７】
待受中に基地局より着呼メッセージが伝えられた際に、当該基地局との所定の信号の送受信によって着信動作及び応答動作を行うことによって通信状態に移行し、発呼側装置から送出された用件メッセージ又は画像データを所定の媒体に記録する留守番機能を備えた通信装置において、
少なくとも２種類の異なる報知方法を有する報知手段と、
着信があったことを表す表示を行う表示手段と、
上記媒体への情報の記録が可能であるか検出する検出手段と、
該検出手段によって上記媒体への情報の記録が不可能であると検出されたとき、上記表示手段を制御して着信があったことを表す表示を行うと共に、上記報知手段を制御して上記媒体への情報の記録が可能である時とは異なる方法により着信の報知を行う制御手段とを設けたことを特徴とする通信装置。
【請求項８】
待受中に基地局より着呼メッセージが伝えられた際に、当該基地局との所定の信号の送受信によって着信動作及び応答動作を行うことによって通信状態に移行し、発呼側装置から送出された用件メッセージ又は画像データを所定の媒体に記録する留守番機能を備えた通信装置において、
少なくとも２種類の異なる報知方法を有する報知手段と、
着信があったことを表す表示を行う表示手段と、
上記媒体への情報の記録が可能であるか検出する検出手段と、
該検出手段によって上記媒体への情報の記録が不可能であると検出されたとき、着呼メッセージに対する基地局との着信動作を禁止し、上記表示手段を制御して着信があったことを表す表示を行うと共に、上記報知手段を制御して上記媒体への情報の記録が可能である時とは異なる方法により着信の報知を行う制御手段とを設けたことを特徴とする通信装置。
【発明の詳細な説明】
【０００１】
【発明の属する技術分野】
本発明は、留守番機能を備えた通信装置に関するものである。
【０００２】
【従来の技術】
従来より、留守番機能を備えた通信装置としては、装置本体に直接通信回線が接続された据え置き型のもの、及び基地局を介して無線によって通信回線に接続されるＰＨＳ（Ｐｅｒｓｏｎａｌ  ＨａｎｄｙＰｈｏｎｅ  Ｓｙｓｔｅｍ）やアナログ／デジタル携帯電話機等のような携帯型のものがあり、据え置き型の通信装置においては、通信回線から到来する着信信号に基づいてリンガ鳴動を行うと共に、所定時間経過後に通信回線を自動的に捕捉して通信状態とし、発呼側から送出されるメッセージや画像データ等の情報を所定の媒体に記録し、所定時間経過後又は通信回線から到来する終話信号に基づいて通信回線を自動的に開放して通信状態を終了しており、又携帯型の通信装置においては、待受中に制御チャンネルで着呼メッセージが伝えられたとき、予め定められた手順に従って装置本体と基地局との間で信号のやり取りを行い（着信動作）ＬＣＤ表示、リンガ鳴動、又はバイブレータ振動等の報知手段によって着信があったことを報知し、所定時間経過後に自動的に予め定められた手順に従って装置本体と基地局との間で信号のやり取りを行い（応答動作）通信状態とし、発呼側から送出されるメッセージや画像データ等の情報を所定の媒体に記録し、所定時間経過後又は基地局から切断が伝えられたとき、自動的に切断動作を行って通信状態を終了していた。
【０００３】
又、上記のような通信装置においては、発呼側からの情報を記録する媒体の記録容量が一杯となって新たに情報を記録することができなくなる場合を想定し、媒体の記録容量が一杯となったことを判断した際において装置本体が発呼側に対し、メッセージ又は画像データ等の情報の記録が行えないことを表すメッセージ等を送出するものや、留守番機能の設定を自動的に解除するものが提案されていた。
【０００４】
更に、上記のような携帯型の通信装置においては、基地局からの電波が届かない圏外に装置本体が位置する場合を想定し、基地局からの着呼に装置本体からの応答がないことを判断した際において基地局が発呼側に対し「圏外又は装置の電源が切られています」といったアナウンスを流すサービスや、基地局からの着呼に装置本体からの応答がないことを判断した際に基地局が発呼側からのメッセージや画像データ等の情報を記録するサービス（以下、回線網留守番サービスと称す）が提供されていた。
【０００５】
【発明が解決しようとする課題】
ところが、上記従来装置において、発呼側からの情報を記録する媒体の記録容量が一杯となって新たに情報が記録されなくなった場合において発呼側に情報の記録が行えないことを表すメッセージ等を送出するものでは、情報の記録等が行えないにも拘わらず発呼側に無駄な課金を強いるといった問題点があり、又留守番機能の設定を自動的に解除するものでは、発呼側への無駄な課金を強いることをなくすことができるが、使用者において留守番機能の設定が解除されたことを認識することができず、留守番機能を再度設定するためには、一旦媒体に記録された情報を消去して留守番機能の再設定を行わなくてはならず、使用者において繁雑な操作を要するといった問題点があった。
【０００６】
更に、回線網留守番サービスにおいては、録音された用件を聞くためには通話料金が必要であり、且つ装置本体を基地局の電波が届かない位置に持って行くか、装置本体の電源を切らなくては利用することができないため、使い勝手が悪く、長時間にわたって適用することができないといった問題点があった。
【０００７】
本発明は、発呼側への無駄な課金、及び使用者における繁雑な操作を要することなく、留守番機能を動作させることができる通信装置を提供することを目的とするものである。
【０００８】
【課題を解決するための手段】
上記目的を達成するために、本発明は、着信に応答して自動的に通信状態に移行し、発呼側装置から送出された用件メッセージ又は画像データを所定の媒体に記録する留守番機能を備えた通信装置において、少なくとも２種類の異なる報知方法を有する報知手段と、上記媒体への情報の記録が可能であるか検出する検出手段と、該検出手段によって上記媒体への情報の記録が不可能であると検出されたとき、上記報知手段を制御して上記媒体への情報の記録が可能である時とは異なる方法により着信の報知を行う制御手段とを設ける構成としたものである。また、上記制御手段は、前記検出手段によって上記媒体への情報の記録が不可能であると検出されたとき、着信時における通信状態への自動移行を禁止するようにしてもよい。
【０００９】
又、本発明は、待受中に基地局より着呼メッセージが伝えられた際に、当該基地局との所定の信号の送受信によって着信動作及び応答動作を行うことによって通信状態に移行し、発呼側装置から送出された用件メッセージ又は画像データを所定の媒体に記録する留守番機能を備えた通信装置において、少なくとも２種類の異なる報知方法を有する報知手段と、上記媒体への情報の記録が可能であるか検出する検出手段と、該検出手段によって上記媒体への情報の記録が不可能であると検出されたとき、上記報知手段を制御して上記媒体への情報の記録が可能である時とは異なる方法により着信の報知を行う制御手段とを設ける構成としたものである。また、上記制御手段は、該検出手段によって上記媒体への情報の記録が不可能であると検出されたとき、着呼メッセージに対する基地局との応答動作を禁止するようにしてもよい。
【００１０】
又、本発明は、待受中に基地局より着呼メッセージが伝えられた際に、当該基地局との所定の信号の送受信によって着信動作及び応答動作を行うことによって通信状態に移行し、発呼側装置から送出された用件メッセージ又は画像データを所定の媒体に記録する留守番機能を備えた通信装置において、少なくとも２種類の異なる報知方法を有する報知手段と、上記媒体への情報の記録が可能であるか検出する検出手段と、該検出手段によって上記媒体への情報の記録が不可能であると検出されたとき、着呼メッセージに対する基地局との着信動作を禁止すると共に、上記報知手段を制御して上記媒体への情報の記録が可能である時とは異なる方法により着信の報知を行う制御手段とを設ける構成としたものである。
【００１１】
又、本発明は、着信に応答して自動的に通信状態に移行し、発呼側装置から送出された用件メッセージ又は画像データを所定の媒体に記録する留守番機能を備えた通信装置において、少なくとも２種類の異なる報知方法を有する報知手段と、着信があったことを表す表示を行う表示手段と、上記媒体への情報の記録が可能であるか検出する検出手段と、該検出手段によって上記媒体への情報の記録が不可能であると検出されたとき、上記表示手段を制御して着信があったことを表す表示を行うと共に、上記報知手段を制御して上記媒体への情報の記録が可能である時とは異なる方法により着信の報知を行う制御手段とを設ける構成としたものである。
【００１２】
又、本発明は、待受中に基地局より着呼メッセージが伝えられた際に、当該基地局との所定の信号の送受信によって着信動作及び応答動作を行うことによって通信状態に移行し、発呼側装置から送出された用件メッセージ又は画像データを所定の媒体に記録する留守番機能を備えた通信装置において、少なくとも２種類の異なる報知方法を有する報知手段と、着信があったことを表す表示を行う表示手段と、上記媒体への情報の記録が可能であるか検出する検出手段と、該検出手段によって上記媒体への情報の記録が不可能であると検出されたとき、上記表示手段を制御して着信があったことを表す表示を行うと共に、上記報知手段を制御して上記媒体への情報の記録が可能である時とは異なる方法により着信の報知を行う制御手段とを設ける構成としたものである。
【００１３】
更に、本発明は、待受中に基地局より着呼メッセージが伝えられた際に、当該基地局との所定の信号の送受信によって着信動作及び応答動作を行うことによって通信状態に移行し、発呼側装置から送出された用件メッセージ又は画像データを所定の媒体に記録する留守番機能を備えた通信装置において、少なくとも２種類の異なる報知方法を有する報知手段と、着信があったことを表す表示を行う表示手段と、上記媒体への情報の記録が可能であるか検出する検出手段と、該検出手段によって上記媒体への情報の記録が不可能であると検出されたとき、着呼メッセージに対する基地局との着信動作を禁止し、上記表示手段を制御して着信があったことを表す表示を行うと共に、上記報知手段を制御して上記媒体への情報の記録が可能である時とは異なる方法により着信の報知を行う制御手段とを設ける構成としたものである。
【００１４】
従って、本発明によれば、検出手段によって媒体への情報の記録が不可能であると検出されたとき、制御手段が着信時における通信状態への自動移行を禁止すると共に、報知手段を制御して通常時とは異なる方法により着信報知を行わせることにより、発呼側からの情報を記録する媒体の記録容量が一杯となって新たに情報を記録することができなくなった場合において、留守番機能の設定を解除することなく、発呼側に無駄な課金を強いるといったことを防止することができると共に、発呼側からの情報を記録する媒体の記録容量が一杯となって新たに情報を記録することができなくなったことを使用者に認識させることができる。
【００１５】
又、本発明によれば、検出手段によって媒体への情報の記録が不可能であると検出されたとき、制御手段が着呼メッセージに対する基地局との応答動作を禁止すると共に、報知手段を制御して通常時とは異なる方法により着信報知を行わせることにより、発呼側からの情報を記録する媒体の記録容量が一杯となって新たに情報を記録することができなくなった場合において、留守番機能の設定を解除することなく、発呼側に無駄な課金を強いるといったことを防止することができ、且つ情報記録が不可能になった後に使用者による操作によって即座に通信状態に移行させることができると共に、発呼側からの情報を記録する媒体の記録容量が一杯となって新たに情報を記録することができなくなったことを使用者に認識させることができる。
【００１６】
又、本発明によれば、検出手段によって媒体への情報の記録が不可能であると検出されたとき、制御手段が着呼メッセージに対する基地局との着信動作及び応答動作を禁止すると共に、報知手段を制御して通常時とは異なる方法により着信報知を行わせることにより、発呼側からの情報を記録する媒体の記録容量が一杯となって新たに情報を記録することができなくなった場合において、留守番機能の設定を解除することなく、発呼側に無駄な課金を強いるといったことを防止することができ、且つ基地局において回線網留守番サービスが提供されている場合において、その回線網留守番サービスを利用して発呼側の情報を記録することができると共に、発呼側からの情報を記録する媒体の記録容量が一杯となって新たに情報を記録することができなくなったことを使用者に認識させることができる。
【００１７】
又、本発明によれば、検出手段によって媒体への情報の記録が不可能であると検出されたとき、制御手段が着信時における通信状態への自動移行を禁止すると共に、表示手段を制御して着信があったことを表す表示を行わせることにより、発呼側からの情報を記録する媒体の記録容量が一杯となって新たに情報を記録することができなくなった場合において、留守番機能の設定を解除することなく、発呼側に無駄な課金を強いるといったことを防止することができると共に、発呼側からの情報を記録する媒体の記録容量が一杯となって新たに情報を記録することができなくなったことを使用者に確実に認識させることができる。
【００１８】
又、本発明によれば、検出手段によって媒体への情報の記録が不可能であると検出されたとき、制御手段が着呼メッセージに対する基地局との応答動作を禁止すると共に、表示手段を制御して着信があったことを表す表示を行わせることにより、発呼側からの情報を記録する媒体の記録容量が一杯となって新たに情報を記録することができなくなった場合において、留守番機能の設定を解除することなく、発呼側に無駄な課金を強いるといったことを防止することができ、且つ情報記録が不可能になった後に使用者による操作によって即座に通信状態に移行させることができると共に、発呼側からの情報を記録する媒体の記録容量が一杯となって新たに情報を記録することができなくなったことを使用者に確実に認識させることができる。
【００１９】
又、本発明によれば、検出手段によって媒体への情報の記録が不可能であると検出されたとき、制御手段が着呼メッセージに対する基地局との着信動作及び応答動作を禁止すると共に、表示手段を制御して着信があったことを表す表示を行わせることにより、発呼側からの情報を記録する媒体の記録容量が一杯となって新たに情報を記録することができなくなった場合において、留守番機能の設定を解除することなく、発呼側に無駄な課金を強いるといったことを防止することができ、且つ基地局において回線網留守番サービスが提供されている場合において、その回線網留守番サービスを利用して発呼側の情報を記録することができると共に、発呼側からの情報を記録する媒体の記録容量が一杯となって新たに情報を記録することができなくなったことを使用者に確実に認識させることができる。
【００２０】
【発明の実施の形態】
以下、本発明の実施の形態について図面を参照して詳細に説明する。
【００２１】
図１は本発明の通信装置の一実施の形態であるＰＨＳ端末の電気的構成を示す概略機能ブロック図、図２乃至図４は同ＰＨＳ端末における留守番モード時の動作制御の一例を示すフローチャート、図５は同留守番モード時の動作制御における用件記録可能時の着信時の制御シーケンスを示す説明図、図６は同留守番モード時の動作制御における用件記録不可時の着信時の制御シーケンスを示す説明図、図７は同ＰＨＳ端末における留守番モード時の動作制御の他の例を示すフローチャート、図８は同留守番モード時の動作制御における用件記録不可時の着信時の制御シーケンスを示す説明図である。
【００２２】
図９は本発明の通信装置の他の実施の形態であるＰＨＳ端末の電気的構成を示す概略機能ブロック図、図１０は同ＰＨＳ端末における留守番モード時の動作制御の一例を示すフローチャート、図１１は同ＰＨＳ端末における留守番モード時の動作制御の他の例を示すフローチャートである。
【００２３】
図１２は本発明の通信装置の更に他の実施の形態であるＰＨＳ端末の電気的構成を示す概略機能ブロック図、図１３は同ＰＨＳ端末における留守番モード時の動作制御を示すフローチャート、図１４は同ＰＨＳ端末におけるダイヤル発信時の動作制御を示すフローチャートである。
【００２４】
［一実施の形態］
以下、本発明の通信装置の一実施の形態であるＰＨＳ端末について図１乃至図８に基づいて説明する。
【００２５】
図１において、１はアンテナ、２はアンテナ１を介して図示しない基地局との信号の送受信を行う無線部、３は無線部２によって送受信される信号に所定の信号処理を施すことにより、無線部２によって受信された信号から音声データや画像データを得ると共に、音声データや画像データから無線部２によって送信される信号を得る信号処理部、４は信号処理部３によって得られた音声データを音声として外部に放音するスピーカ、５は外部音声を集音して音声データとして信号処理部３に供給するマイクである。
【００２６】
６は信号処理部３によって得られた音声データや画像データ等の情報を記録すると共に、その記録した情報を再生して信号処理部３や図示しない外部出力端子に供給する情報記録／再生部、７は使用者に着信があったことを報知する着信報知部であり、リンガ、ＬＣＤ、ＬＥＤ及びバイブレータ等によって構成されている。８は電話番号等の入力を行う数字キー、及び通信の開始／終了や留守番モードへの移行／解除を行う機能キー等によって構成された操作入力部である。
【００２７】
９は無線部２によって受信された信号、及び操作入力部８からの指示に基づいて無線部２及びアンテナ１を介した基地局との無線接続制御、信号処理部３における信号処理制御、情報記録／再生部６における情報記録再生制御、及び着信報知部７における着信報知制御等を行う主制御部である。
【００２８】
上記のように構成されたＰＨＳ端末について、まず図２乃至図４に示すフローチャート並びに図５及び図６に示す制御シーケンスに基づいて留守番モード時の動作の一例を説明する。
【００２９】
使用者が操作入力部８を操作して留守番モードへの移行を指示し、その留守番モードへの移行指示に基づいて主制御部９が留守番モードに移行した後、図示しない基地局より所定の制御チャンネルで送信された着呼メッセージを表す信号がアンテナ１を介して無線部２により受信され、主制御部９において無線部２によって受信された信号が着呼メッセージであると判断する（ステップＦ１）と、主制御部９は情報記録／再生部６の空き容量を監視して新たな情報の記録が可能であるか判断し（ステップＦ２）、このとき、主制御部９が情報記録／再生部６による新たな情報の記録が可能であると判断すると応答モードへ移行し、又主制御部９が情報記録／再生部６による新たな情報の記録が不可能であると判断すると非応答モードへ移行する。
【００３０】
そして、主制御部９が応答モードに移行すると、主制御部９は図示しない基地局との着信動作及び応答動作を行い（ステップＦ１１、Ｆ１２）、図示しない基地局を介して発呼側端末との通信を可能とすると共に、情報記録／再生部６を制御して予め登録した応答メッセージの再生を開始し（ステップＦ１３）、図示しない基地局を介して発呼側端末に送出し、その後、応答メッセージの再生が終了したとき（ステップＦ１４）、主制御部９が情報記録／再生部６を制御して信号処理部３によって得られた発呼側端末からの用件メッセージや画像データ等の情報の記録を開始し（ステップＦ１５）、その後、図示しない基地局より送信された切断メッセージを表す信号がアンテナ１を介して無線部２により受信され、主制御部９において無線部２によって受信された信号が切断メッセージであると判断されたとき（ステップＦ１６）、又は所定時間が経過したとき（ステップＦ１７）、主制御部９が情報記録／再生部６を制御して情報記録を終了させる（ステップＦ１８）と共に、図示しない基地局との切断動作を行い（ステップＦ１９）、通信を終了する。
【００３１】
一方、主制御部９が非応答モードに移行すると、主制御部９は図示しない基地局との着信動作を行う（ステップＦ２１）と共に、その着信動作における適切なタイミングにおいて着信報知部７を制御して通常時の報知方法（例えば、リンガ鳴動）とは異なる報知方法（例えば、バイブレータ振動）によって着信を報知させる（ステップＦ２２）。そして、使用者がその着信報知に応答せずに発呼側において発呼が取り止められ、図示しない基地局より送信された切断メッセージを表す信号がアンテナ１を介して無線部２により受信され、主制御部９において無線部２によって受信された信号が切断メッセージであると判断される（ステップＦ２３）と、図示しない基地局との切断動作を行い（ステップＦ２６）、通信を終了し、又使用者が着信報知に応答して操作入力部８を操作して通信の開始を指示（オフフック）する（ステップＦ２４）と、主制御部９が操作入力部８からの通信開始指示に基づいて図示しない基地局との応答動作を行い（ステップＦ２５）、図示しない基地局を介して発呼側端末との通信を可能とする。
【００３２】
尚、着信動作とは、
（１）着呼応答
リンクチャンネル確立後、ユーザ（ＰＳ）は着呼応答メッセージを網（ＣＳ）に送信する。
（２）呼設定
着呼応答メッセージを受信した網（ＣＳ）は、呼設定メッセージを送信する。
（３）呼設定に対する応答
呼設定メッセージを受信したユーザ（ＰＳ）は、呼設定受付メッセージにより応答する。
（４）通知情報要求
ユーザ（ＰＳ）が通知情報受信指示を受けている場合、ユーザ（ＰＳ）は定義情報要求メッセージにより、通知情報を要求する。それを受けた網（ＣＳ）は定義情報応答メッセージにより、通知情報を通知する。
（５）ＲＴ機能要求
ＲＴ機能要求を行うことを指示されたユーザ（ＰＳ）は、機能要求メッセージによりＲＴ機能を網（ＣＳ）に要求する。受け付けられたＲＴ機能は、機能要求応答メッセージにより、ユーザ（ＰＳ）に通知される。
（６）秘匿鍵設定
ユーザ（ＰＳ）は秘匿鍵設定メッセージによって秘匿鍵を網（ＣＳ）に伝える。
（７）ＭＭ機能要求
ＭＭ機能要求を行うことを指示されたユーザ（ＰＳ）は、機能要求メッセージによりＭＭ機能を網（ＣＳ）に要求する。受け付けられたＭＭ機能は、機能要求応答メッセージにより、ユーザ（ＰＳ）に通知される。
（８）認証
ユーザ（ＰＳ）からの必要な機能要求が終わると、網（ＣＳ）は認証乱数を発生し、認証要求メッセージをユーザ（ＰＳ）に送信して乱数を通知する。認証要求メッセージを受信したユーザ（ＰＳ）は乱数を自分が持つ認証鍵を用いて暗号化し、認証応答メッセージを用いて認証演算結果を網（ＣＳ）に通知する。認証応答メッセージを受信した網（ＣＳ）は、同様に認証乱数とユーザ（ＰＳ）のホームメモリ内の認証鍵を用いて得られた認証演算結果をユーザ（ＰＳ）から通知されたものが一致するかどうか判定する。認証結果がＮＧの場合、呼切断復旧の規定に従って呼開放手順を開始する。認証結果がＯＫの場合、呼接続を継続する。
（９）呼出通知
認証応答メッセージを出したユーザ（ＰＳ）は、呼出メッセージを送出する。までを言い、応答動作とは、
（10）応答
呼出メッセージを送出後、ユーザ（ＰＳ）がオフフックした場合、ユーザ（ＰＳ）は、網（ＣＳ）に対して応答メッセージを送信することにより着呼の受付を通知する。
（11）通信可
応答メッセージを受信した網（ＣＳ）は、応答確認メッセージをユーザ（ＰＳ）に送信する。ユーザ（ＰＳ）は、回線交換接続の完了を示す応答確認メッセージの受信で通信状態に移行する。までを言う。
【００３３】
従って、上記動作制御によれば、留守番モード時において情報記録／再生部６への情報の記録が可能であるときに、自動的に発呼側端末との通信状態に移行して発呼側端末からの情報を記録することができ、又留守番モード時において情報記録／再生部６への情報の記録が不可能であるときに、発呼側端末との通信状態に自動的に移行させずに通常時とは異なる方法によって着信報知を行うことができると共に、使用者がその着信報知に応答して通信の開始を指示することによって即座に発呼側端末との通信状態に移行させることができる。
【００３４】
次に、上記のように構成されたＰＨＳ端末について、図７に示すフローチャート並びに図５及び図８に示す制御シーケンスに基づいて留守番モード時の動作の他の例を説明する。尚、基地局より送信された着呼メッセージを表す信号が受信されて応答モード又は非応答モードを選択するときの動作、及び応答モードにおける動作については上述の動作制御（図２及び図３に示すフローチャート、並びに図５に示す制御シーケンス）と同様であるため、その説明については省略し、非応答モードにおける動作についてのみ説明する。
【００３５】
主制御部９が非応答モードに移行すると、主制御部９は図示しない基地局との着呼拒否手順を行う（ステップＦ３１）と共に、着信報知部７を制御して通常時の報知方法（例えば、リンガ鳴動）とは異なる報知方法（例えば、バイブレータ振動）によって着信を報知させる（ステップＦ３２）。
【００３６】
尚、着呼拒否手順は、網（ＣＳ）からの呼設定メッセージに対してユーザ（ＰＳ）が呼設定拒否要求のための解放完了メッセージを返すことを言う。
【００３７】
従って、上記動作制御によれば、留守番モード時において情報記録／再生部６への情報の記録が不可能であるときに、発呼側における無駄な課金を防止することができると共に、例えば回線網留守番サービスを利用している場合において、留守番モード時において情報記録／再生部６への情報の記録が不可能となったときに、その回線網留守番サービスに発呼側端末からの用件メッセージや画像データ等の情報を記録させることができる。
【００３８】
尚、上記実施の形態においては、基地局からの着呼メッセージに基づいて呼設定手順まで手順を進めてから着呼を拒否することにより着信動作を禁止するようにしたが、これに限定されるものではなく、例えば基地局からの着呼メッセージに基づくリンクチャンネル確立手順を行わないようにすることにより着信動作を禁止するようにするようにしても良く、このとき基地局においては、ＰＨＳ端末が電波の届かないか、或いはＰＨＳ端末の電源がＯＦＦされていると判断する。
【００３９】
［他の実施の形態］
以下、本発明の通信装置の他の実施の形態であるＰＨＳ端末について図９乃至図１１に基づいて説明する。尚、図９において図１と共通する部分には共通の符号を付し、その説明については省略する。
【００４０】
図９において、１１は主制御部９による記憶制御に基づいて操作入力部８によって入力された電話番号を記憶する発番号記憶部であり、この発番号記憶部１１には使用者による操作入力部８の操作によって任意の電話番号を記憶させることができる。
【００４１】
上記のように構成されたＰＨＳ端末について、まず図１０に示すフローチャート並びに図５及び図６に示す制御シーケンスに基づいて留守番モード時の動作の一例を説明する。尚、基地局より送信された着呼メッセージを表す信号が受信されて応答モード又は非応答モードを選択するときの動作、及び応答モードにおける動作については上述の動作制御（図２及び図３に示すフローチャート、並びに図５に示す制御シーケンス）と同様であるため、その説明については省略し、非応答モードにおける動作についてのみ説明する。
【００４２】
主制御部９が非応答モードに移行すると、主制御部９は図示しない基地局との所定の信号の送受信によってリンクチャンネル確立手順、着呼応答手順、及び呼設定手順を行う（ステップＦ４１、Ｆ４２、Ｆ４３）と共に、呼設定手順において基地局より送信される呼設定メッセージに含まれる発呼側端末の電話番号情報と発番号記憶部１１に予め記憶された電話番号を比較し、呼設定メッセージに含まれる発呼側端末の電話番号情報に一致する電話番号が発番号記憶部１１に記憶されているか判断する（ステップＦ４４）。
【００４３】
そして、主制御部９において、呼設定メッセージに含まれる発呼側端末の電話番号情報に一致する電話番号が発番号記憶部１１に記憶されていると判断された場合（ステップＦ４４）には、主制御部９は図示しない基地局との着信動作を継続する（ステップＦ４５）と共に、その着信動作における適切なタイミングにおいて着信報知部７を制御して通常時の報知方法（例えば、リンガ鳴動）とは異なる報知方法（例えば、バイブレータ振動）によって着信を報知させる（ステップＦ４６）。そして、使用者がその着信報知に応答せずに発呼側において発呼が取り止められ、図示しない基地局より送信された切断メッセージを表す信号がアンテナ１を介して無線部２により受信され、主制御部９において無線部２によって受信された信号が切断メッセージであると判断される（ステップＦ４７）と、図示しない基地局との切断動作を行い（ステップＦ５０）、通信を終了し、又使用者が着信報知に応答して操作入力部８を操作して通信の開始を指示（オフフック）する（ステップＦ４８）と、主制御部９が操作入力部８からの通信開始指示に基づいて図示しない基地局との応答動作を行い（ステップＦ４９）、図示しない基地局を介して発呼側端末との通信を可能とする。
【００４４】
一方、主制御部９において、呼設定メッセージに含まれる発呼側端末の電話番号情報に一致する電話番号が発番号記憶部１１に記憶されていないと判断された場合（ステップＦ４４）には、主制御部９は図示しない基地局との着呼拒否手順を行う（ステップＦ５１／呼設定拒否メッセージを基地局に送信する）。
【００４５】
従って、上記動作制御によれば、留守番モード時において情報記録／再生部６への情報の記録が不可能であるときに、使用者によって予め定めた発呼側端末からの着信に対して通常時とは異なる方法によって着信報知を行うことができると共に、使用者がその着信報知に応答して通信の開始を指示することによって即座に発呼側端末との通信状態に移行させることができる。
【００４６】
次に、上記のように構成されたＰＨＳ端末について、図１１に示すフローチャート並びに図５及び図８に示す制御シーケンスに基づいて留守番モード時の動作の他の例を説明する。尚、基地局より送信された着呼メッセージを表す信号が受信されて応答モード又は非応答モードを選択するときの動作、及び応答モードにおける動作については上述の動作制御（図２及び図３に示すフローチャート、並びに図５に示す制御シーケンス）と同様であるため、その説明については省略し、非応答モードにおける動作についてのみ説明する。
【００４７】
主制御部９が非応答モードに移行すると、主制御部９は図示しない基地局との所定の信号の送受信によってリンクチャンネル確立手順、着呼応答手順、及び呼設定手順を行い（ステップＦ６１、Ｆ６２、Ｆ６３）、その後、主制御部９は図示しない基地局との着呼拒否手順を行う（ステップＦ６４／解放完了メッセージを基地局に送信する）と共に、呼設定手順において基地局より送信される呼設定メッセージに含まれる発呼側端末の電話番号情報と発番号記憶部１１に予め記憶された電話番号を比較し、呼設定メッセージに含まれる発呼側端末の電話番号情報に一致する電話番号が発番号記憶部１１に記憶されているか判断する（ステップＦ６５）。
【００４８】
そして、主制御部９は呼設定メッセージに含まれる発呼側端末の電話番号情報に一致する電話番号が発番号記憶部１１に記憶されていると判断された場合にのみ、着信報知部７を制御して通常時の報知方法（例えば、リンガ鳴動）とは異なる報知方法（例えば、バイブレータ振動）によって着信を報知させる（ステップＦ６６）。
【００４９】
従って、上記動作制御によれば、留守番モード時において情報記録／再生部６への情報の記録が不可能であるときに、発呼側における無駄な課金を防止することができると共に、回線網留守番サービスを利用している場合において、留守番モード時において情報記録／再生部６への情報の記録が不可能となったときに、その回線網留守番サービスに発呼側端末からの用件メッセージや画像データ等の情報を記録させることができ、且つ使用者によって予め定めた発呼側端末からの着信に対して通常時とは異なる方法によって着信報知を行うことができるため、回線網留守番サービスによって特定の発呼側からの情報が記録されたことを使用者において即座に認識することができる。
【００５０】
［更に他の実施の形態］
以下、本発明の通信装置の更に他の実施の形態であるＰＨＳ端末について図１２及び図１３に基づいて説明する。尚、図１２において図１と共通する部分には共通の符号を付し、その説明については省略する。
【００５１】
図１２において、１１は主制御部９による記憶制御に基づき、呼設定手順において基地局より送信される呼設定メッセージに含まれる発呼側端末の電話番号情報を記憶する発番号記憶部、２２は主制御部９による表示制御に基づき、装置本体の設定状態や呼設定手順において基地局より送信される呼設定メッセージに含まれる発呼側端末の電話番号及び発番号記憶部１１に記憶された電話番号を表示する表示部である。
【００５２】
上記のように構成されたＰＨＳ端末について、図１３に示すフローチャート並びに図５及び図８に示す制御シーケンスに基づいて留守番モード時の動作を説明する。尚、基地局より送信された着呼メッセージを表す信号が受信されて応答モード又は非応答モードを選択するときの動作、及び応答モードにおける動作については上述の動作制御（図２及び図３に示すフローチャート、並びに図５に示す制御シーケンス）と同様であるため、その説明については省略し、非応答モードにおける動作についてのみ説明する。
【００５３】
主制御部９が非応答モードに移行すると、主制御部９は図示しない基地局との所定の信号の送受信によってリンクチャンネル確立手順、着呼応答手順、及び呼設定手順を行い（ステップＦ７１、Ｆ７２、Ｆ７３）、その後、主制御部９は図示しない基地局との着呼拒否手順を行う（ステップＦ７４／解放完了メッセージを基地局に送信する）と共に、呼設定手順において基地局より送信される呼設定メッセージに含まれる発呼側端末の電話番号情報を発番号記憶部１１に記憶し（ステップＦ７５）、且つ表示部２２を制御して着信があったことを知らせるアイコンを点滅させたり、呼設定手順において基地局より送信される呼設定メッセージに含まれる発呼側端末の電話番号情報に基づく電話番号を表示させたりすることにより、着信があったことを報知する表示を行う（ステップＦ７６）。
【００５４】
従って、上記動作制御によれば、留守番モード時において情報記録／再生部６への情報の記録が不可能であるときに、発呼側における無駄な課金を防止することができると共に、留守番モードの解除時等のようにＰＨＳ端末を操作する場合において、留守番モード時において情報の記録をできなかった相手がいたことを認識することができ、且つ非応答モードに移行した全ての着信に対する電話番号情報を発番号記憶部１１に記憶させることによって留守番モード時において情報の記録をできなかった全ての相手を認識することができる。
【００５５】
次に、図１４に示すフローチャートに基づいて発番号記憶部１１に記憶された電話番号情報に基づくダイヤル発信動作を説明する。
【００５６】
留守番モード又は通常モードにおける待機モード時において、使用者による操作入力部８の操作によって表示部２２に表示される電話番号のスクロール指示が成される（ステップＦ８１）度に、主制御部９が発番号記憶部１１を制御して順次異なる電話番号情報を読み出し、その読み出した電話番号情報に基づいて表示部２２を制御することによって電話番号を表示する（ステップＦ８２）。
【００５７】
そして、表示部２２に電話番号が表示されている状態において、使用者による操作入力部８の操作によって表示部２２に表示された電話番号の消去指示が成される（ステップＦ８３）と、主制御部９が発番号記憶部１１を制御して表示中の電話番号に対応する電話番号情報を消去する（ステップＦ８４）と共に、発番号記憶部１１に記憶されている他の電話番号情報を読み出し、その読み出した電話番号情報に基づいて表示部２２を制御することによって電話番号を表示する（ステップＦ８５）。
【００５８】
一方、表示部２２に電話番号が表示されている状態において、使用者による操作入力部８の操作によって表示部２２に表示された電話番号のダイヤル発信指示が成される（ステップＦ８５）と、主制御部９が無線部２を制御して図示しない基地局との接続を行うと共に、発番号記憶部１１を制御して表示中の電話番号に対応する電話番号情報を読み出して図示しない基地局に送信することによってダイヤル発信を行う（ステップＦ８６）。
【００５９】
従って、上記動作制御によれば、留守番モードの解除時等のようにＰＨＳ端末を操作する場合において、留守番モード時において情報の記録をできなかった相手がいたことを認識したとき、使用者による簡単な操作によってその相手との通話を行うことができる。
【００６０】
【発明の効果】
以上のように、本発明によれば、発呼側からの情報を記録する媒体の記録容量が一杯となって新たに情報を記録することができなくなった場合において、留守番機能の設定を解除することなく、発呼側に無駄な課金を強いるといったことを防止することができるため、媒体に記録された情報を消去する操作のみによって留守番機能の再起動を行わせることができ、使用者における繁雑な操作を軽減することができる。
【００６１】
又、本発明によれば、発呼側からの情報を記録する媒体の記録容量が一杯となって新たに情報を記録することができなくなった場合において、着信があったことが報知され、その着信報知中における使用者の操作によって通信状態に移行させることができるため、使用者において相手からの着信に基づく全ての用件を認識することができる。
【００６２】
又、本発明によれば、基地局において回線網留守番サービスが提供されている場合においては、その回線網留守番サービスを利用して発呼側の情報を記録することができるため、結果として発呼側からの情報をより多く記録することができる。
【００６３】
又、本発明によれば、発呼側からの情報を記録する媒体の記録容量が一杯となって新たに情報を記録することができなくなったこと使用者に容易に認識させることができると共に、例えば通常時の着信報知としてリンガ鳴動を、情報記録不可時の着信報知としてバイブレータ振動をそれぞれ選択することにより、会議中や映画館等においてそのリンガ鳴動によって回りに迷惑をかけるといったことを防止しつつ、発呼側からの情報を記録する媒体の記録容量が一杯となって新たに情報を記録することができなくなったこと使用者に容易に認識させることができる。
【００６４】
更に、本発明によれば、発呼側からの情報を記録する媒体の記録容量が一杯となって新たに情報を記録することができなくなったことを使用者に確実に認識させることができるため、基地局において回線網留守番サービスが提供されている場合においては、その認識時において基地局に記録された情報を即座に取り出すことができる。
【図面の簡単な説明】
【図１】本発明の通信装置の一実施の形態であるＰＨＳ端末の電気的構成を示す概略機能ブロック図である。
【図２】同ＰＨＳ端末における留守番モード時の動作制御の一例を示すフローチャートである。
【図３】同ＰＨＳ端末における留守番モード時の動作制御の一例を示すフローチャートである。
【図４】同ＰＨＳ端末における留守番モード時の動作制御の一例を示すフローチャートである。
【図５】同留守番モード時の動作制御における用件記録可能時の着信時の制御シーケンスを示す説明図である。
【図６】同留守番モード時の動作制御における用件記録不可時の着信時の制御シーケンスを示す説明図である。
【図７】同ＰＨＳ端末における留守番モード時の動作制御の他の例を示すフローチャートである。
【図８】同留守番モード時の動作制御における用件記録不可時の着信時の制御シーケンスを示す説明図である。
【図９】本発明の通信装置の他の実施の形態であるＰＨＳ端末の電気的構成を示す概略機能ブロック図である。
【図１０】同ＰＨＳ端末における留守番モード時の動作制御の一例を示すフローチャートである。
【図１１】同ＰＨＳ端末における留守番モード時の動作制御の他の例を示すフローチャートである。
【図１２】本発明の通信装置の更に他の実施の形態であるＰＨＳ端末の電気的構成を示す概略機能ブロック図である。
【図１３】同ＰＨＳ端末における留守番モード時の動作制御を示すフローチャートである。
【図１４】同ＰＨＳ端末におけるダイヤル発信時の動作制御を示すフローチャートである。
【符号の説明】
１    アンテナ
２    無線部
３    信号処理部
４    スピーカ
５    マイク
６    情報記録／再生部
７    着信報知部
８    操作入力部
９    主制御部
１１    発番号記憶部
【図１】
0003810373.tif 000002
【図２】
0003810373.tif 000003
【図３】
0003810373.tif 000004
【図４】
0003810373.tif 000005
【図５】
0003810373.tif 000006
【図６】
0003810373.tif 000007
【図７】
0003810373.tif 000008
【図８】
0003810373.tif 000009
【図９】
0003810373.tif 000010
【図１０】
0003810373.tif 000011
【図１１】
0003810373.tif 000012
【図１２】
0003810373.tif 000013
【図１３】
0003810373.tif 000014
【図１４】
0003810373.tif 000015